【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
相対的な上位と下位の順序を有する複数の色の図形を配置して構成される画像において、異なる２つの色が隣接する境界部分にトラッピング処理を行うトラッピング方法であって、
相対的に上位側の図形と下位側の図形とが重なる部分において、
前記上位側の図形の色を規定する版色についてはその版色値が採用され、かつ、
その他の版色については前記上位側の図形の版色値と前記下位側の図形の版色値とのうち大きい方が採用される場合には、
前記重なる部分の色と前記下位側の図形の色とが隣接する境界部分にトラッピング処理を行うことを特徴とするトラッピング方法。
【請求項２】
請求項１に記載のトラッピング方法であって、
前記複数の図形に含まれる対象図形に
下位側の図形と重なる部分には前記対象図形の色を採用する第１の属性と、
下位側の図形と重なる部分には前記対象図形の色と当該下位側の図形の色との合成色を採用する第２の属性と、
下位側の図形と重なる部分には一定条件下においてのみ前記対象図形の色を採用し、その他の場合には前記対象図形と当該下位側の図形の色との合成色を採用する第３の属性
のうちのいずれかの属性を付与する第１の工程と、
前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の工程と、
を含むことを特徴とするトラッピング方法。
【請求項３】
請求項２に記載のトラッピング方法であって、
前記第１の工程および前記第２の工程を、前記画像を構成する全ての図形を順次に前記対象図形として実行することを特徴とするトラッピング方法。
【請求項４】
相対的な上位と下位の順序を有する複数の色の図形を配置して構成される画像において、異なる２つの色が隣接する境界部分にトラッピング処理を行うトラッピング装置であって、
前記複数の図形に含まれる対象図形に
下位側の図形と重なる部分には前記対象図形の色を採用する第１の属性と、
下位側の図形と重なる部分には前記対象図形の色と当該下位側の図形の色との合成色を採用する第２の属性と、
下位側の図形と重なる部分には一定条件下においてのみ前記対象図形の色を採用し、その他の場合には前記対象図形と当該下位側の図形の色との合成色を採用する第３の属性
のうちのいずれかの属性を付与する第１の処理を行う第１の手段と、
前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の処理を行う第２の手段と、
を備えることを特徴とするトラッピング装置。
【請求項５】
請求項４に記載のトラッピング装置であって、
前記第１の手段および前記第２の手段は、前記画像を構成する全ての図形を順次に前記対象図形として、前記第１の処理と前記第２の処理とをそれぞれ実行する手段であることを特徴とするトラッピング装置。
【請求項６】
相対的な上位と下位の順序を有する複数の色の図形を配置して構成される画像において、異なる２つの色が隣接する境界部分にトラッピング処理を行うためのトラッピングプログラムであって、
コンピュータに、
相対的に上位側の図形と下位側の図形とが重なる部分において、
前記上位側の図形の色を規定する版色についてはその版色値が採用され、かつ、
その他の版色については前記上位側の図形の版色値と前記下位側の図形の版色値とのうち大きい方が採用される場合には、
前記重なる部分の色と前記下位側の図形の色とが隣接する境界部分にトラッピング処理を実行させることを特徴とするトラッピングプログラム。
【請求項７】
請求項６に記載のトラッピングプログラムであって、
コンピュータに、
前記複数の図形に含まれる対象図形に
下位側の図形と重なる部分には前記対象図形の色を採用する第１の属性と、
下位側の図形と重なる部分には前記対象図形の色と当該下位側の図形の色との合成色を採用する第２の属性と、
下位側の図形と重なる部分には一定条件下においてのみ前記対象図形の色を採用し、その他の場合には前記対象図形と当該下位側の図形の色との合成色を採用する第３の属性
のうちのいずれかの属性を付与する第１の手順と、
前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の手順と、
を実行させることを特徴とするトラッピングプログラム。
【請求項８】
請求項７に記載のトラッピングプログラムであって、
コンピュータに、前記第１の手順および前記第２の手順を、前記画像を構成する全ての図形を順次に前記対象図形として実行させることを特徴とするトラッピングプログラム。
【請求項９】
請求項６から請求項８までのいずれかに記載のトラッピングプログラムがインストールされたコンピュータと、当該コンピュータによるトラッピング処理後の画像を出力する画像出力手段とを、ネットワークを介して接続したことを特徴とする印刷システム。
【手続補正２】
【補正対象書類名】明細書
【補正対象項目名】００１１
【補正方法】変更
【補正の内容】
【００１１】
請求項１に係る発明は、相対的な上位と下位の順序を有する複数の色の図形を配置して構成される画像において、異なる２つの色が隣接する境界部分にトラッピング処理を行うトラッピング方法であって、相対的に上位側の図形と下位側の図形とが重なる部分において、前記上位側の図形の色を規定する版色についてはその版色値が採用され、かつ、その他の版色については前記上位側の図形の版色値と前記下位側の図形の版色値とのうち大きい方が採用される場合には、前記重なる部分の色と前記下位側の図形の色とが隣接する境界部分にトラッピング処理を行うことを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２に係る発明は、請求項１に記載のトラッピング方法であって、前記複数の図形に含まれる対象図形に、下位側の図形と重なる部分には前記対象図形の色を採用する第１の属性と、下位側の図形と重なる部分には前記対象図形の色と当該下位側の図形の色との合成色を採用する第２の属性と、下位側の図形と重なる部分には一定条件下においてのみ前記対象図形の色を採用し、その他の場合には前記対象図形と当該下位側の図形の色との合成色を採用する第３の属性のうちのいずれかの属性を付与する第１の工程と、前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の工程と、を含むことを特徴とする。
【手続補正５】
【補正対象書類名】明細書
【補正対象項目名】００１４
【補正方法】変更
【補正の内容】
【００１４】
請求項３に係る発明は、請求項２に記載のトラッピング方法であって、前記第１の工程および前記第２の工程を、前記画像を構成する全ての図形を順次に前記対象図形として実行することを特徴とする。
【手続補正６】
【補正対象書類名】明細書
【補正対象項目名】００１５
【補正方法】変更
【補正の内容】
【００１５】
請求項４に係る発明は、相対的な上位と下位の順序を有する複数の色の図形を配置して構成される画像において、異なる２つの色が隣接する境界部分にトラッピング処理を行うトラッピング装置であって、前記複数の図形に含まれる対象図形に、下位側の図形と重なる部分には前記対象図形の色を採用する第１の属性と、下位側の図形と重なる部分には前記対象図形の色と当該下位側の図形の色との合成色を採用する第２の属性と、下位側の図形と重なる部分には一定条件下においてのみ前記対象図形の色を採用し、その他の場合には前記対象図形と当該下位側の図形の色との合成色を採用する第３の属性のうちのいずれかの属性を付与する第１の処理を行う第１の手段と、前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の処理を行う第２の手段と、を備えることを特徴とする。
【手続補正７】
【補正対象書類名】明細書
【補正対象項目名】００１６
【補正方法】変更
【補正の内容】
【００１６】
請求項５に係る発明は、請求項４に記載のトラッピング装置であって、前記第１の手段および前記第２の手段は、前記画像を構成する全ての図形を順次に前記対象図形として前記第１の処理と前記第２の処理とをそれぞれ実行する手段であることを特徴とする。
【手続補正８】
【補正対象書類名】明細書
【補正対象項目名】００１７
【補正方法】変更
【補正の内容】
【００１７】
請求項６に係る発明は、相対的な上位と下位の順序を有する複数の色の図形を配置して構成される画像において、異なる２つの色が隣接する境界部分にトラッピング処理を行うためのトラッピングプログラムであって、コンピュータに、相対的に上位側の図形と下位側の図形とが重なる部分において、前記上位側の図形の色を規定する版色についてはその版色値が採用され、かつ、その他の版色については前記上位側の図形の版色値と前記下位側の図形の版色値とのうち大きい方が採用される場合には、前記重なる部分の色と前記下位側の図形の色とが隣接する境界部分にトラッピング処理を実行させることを特徴とする。
請求項７に係る発明は、請求項６に記載のトラッピングプログラムであって、コンピュータに、前記複数の図形に含まれる対象図形に、下位側の図形と重なる部分には前記対象図形の色を採用する第１の属性と、下位側の図形と重なる部分には前記対象図形の色と当該下位側の図形の色との合成色を採用する第２の属性と、下位側の図形と重なる部分には一定条件下においてのみ前記対象図形の色を採用し、その他の場合には前記対象図形と当該下位側の図形の色との合成色を採用する第３の属性のうちのいずれかの属性を付与する第１の手順と、前記対象図形の属性を参照して、前記第１の属性または前記第３の属性である場合には前記対象図形に関してトラッピング処理を行う旨を、前記第２の属性である場合には前記対象図形に関してトラッピング処理を行わない旨を、それぞれ設定する第２の手順と、を実行させることを特徴とする。
請求項８に係る発明は、請求項７に記載のトラッピングプログラムであって、コンピュータに、前記第１の手順および前記第２の手順を、前記画像を構成する全ての図形を順次に前記対象図形として実行させることを特徴とする
【手続補正９】
【補正対象書類名】明細書
【補正対象項目名】００１８
【補正方法】変更
【補正の内容】
【００１８】
請求項９に係る発明は、請求項６から請求項８までのいずれかに記載のトラッピングプログラムがインストールされたコンピュータと、当該コンピュータによるトラッピング処理後の画像を出力する画像出力手段とを、ネットワークを介して接続したことを特徴とする印刷システムである。
【手続補正１０】
【補正対象書類名】明細書
【補正対象項目名】００１９
【補正方法】変更
【補正の内容】
【００１９】
請求項１から請求項９に記載の発明によれば、上位側の図形と下位側の図形とが重なる部分の色と下位側の図形の色とが隣接する境界部分に、隙間ができる危険性がある場合にのみ、トラッピング処理を実行することができる。すなわち、必要に応じて適時にトラッピング処理を実行することができる。
【手続補正１１】
【補正対象書類名】明細書
【補正対象項目名】００２０
【補正方法】変更
【補正の内容】
【００２０】
特に、下位側の図形の版色値が消去または上書きされるかどうかを判断することなくトラッピング処理を実行するか否かの判断を行うため、判断処理負担が軽減する。